【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
割り込み信号に応じて割り込み処理を行なう中央演算処理装置と、
第２の伝送装置と第１の伝送装置との間でデータ信号を伝送し及び前記第２の伝送装置から第１の伝送装置に割り込み信号を伝送する少なくとも１本のデータラインと、少なくとも第１の伝送装置から前記第２の伝送装置にコマンド信号を伝送するコマンドラインとを有する入出力部と、
前記第２の伝送装置から前記データラインを通じて伝送された信号の中から割り込み信号を検出する割り込み信号検出部と、
を有し、
前記データラインは、前記コマンド信号に応じて前記第２の伝送装置と第１の伝送装置との間でデータ信号を伝送し、
前記割り込み信号検出部は、前記データライン上を前記データ信号が伝送されないデータ信号休止期間を検出するデータ信号休止期間検出部を有し、前記データ信号休止期間検出部が検出した前記データ信号休止期間に伝送された信号を、割り込み信号として検出し、
前記データ信号休止期間検出部は、前記コマンド信号に応じて伝送されるデータ信号の終端から次のデータライン上にデータ信号の転送を命ずる前記コマンド信号の終端までの間の任意の期間を、前記データ信号休止期間として検出する、
ことを特徴とする第１の伝送装置。
【請求項２】
割り込み信号に応じて割り込み処理を行なう中央演算処理装置と、
第２の伝送装置と第１の伝送装置との間でデータ信号を伝送し及び前記第２の伝送装置から第１の伝送装置に割り込み信号を伝送する少なくとも１本のデータラインを有する入出力部と、
前記第２の伝送装置から前記データラインを通じて伝送された信号の中から割り込み信号を検出する割り込み信号検出部と、
を有し、
前記割り込み信号検出部は、前記データライン上を前記データ信号が伝送されないデータ信号休止期間を検出するデータ信号休止期間検出部を有し、前記データ信号休止期間検出部が検出した前記データ信号休止期間に伝送された信号を、割り込み信号として検出し、
前記データ信号休止期間検出部は、前記データ信号の終端を始点とする第１の期間Ｔ１（Ｔ１は任意の期間）内の任意の期間を、前記データ信号休止期間として検出する、
ことを特徴とする第１の伝送装置。
【請求項３】
割り込み信号に応じて割り込み処理を行なう中央演算処理装置と、
第２の伝送装置と第１の伝送装置との間でデータ信号を伝送し及び前記第２の伝送装置から第１の伝送装置に割り込み信号を伝送する少なくとも１本のデータラインを有する入出力部と、
前記第２の伝送装置から前記データラインを通じて伝送された信号の中から割り込み信号を検出する割り込み信号検出部と、
第１の伝送装置から前記第２の伝送装置に伝送するデータ信号を生成するデータ信号生成部と、
前記データ信号が一定以上の情報量を有すれば、前記データ信号を分割して一定未満の情報量を有する複数の分割されたデータ信号を生成するデータ信号分割部と、
を有し、
前記入出力部は、前記データラインを使用して第１の伝送装置から前記第２の伝送装置に複数の前記分割されたデータ信号を順次伝送し、且つ前記分割されたデータ信号の伝送完了後でその次の前記分割されたデータ信号の伝送開始前に少なくとも一定の伝送休止期間を有する、
ことを特徴とする第１の伝送装置。
【請求項４】
第１の伝送モードと第２の伝送モードとを含む複数の伝送モードの中から１個の伝送モードを決定し、及び割り込み信号に応じて割り込み処理を行なう中央演算処理装置と、
複数のデータラインを有する入出力部と、
を有し、
前記第１の伝送モードにおいては前記入出力部は全ての前記データラインを通じてデータ信号を伝送し、前記第２の伝送モードにおいては前記入出力部は少なくとも１本の前記データラインを通じてデータ信号を伝送し且つ少なくとも１本の他の前記データラインを通じて前記第２の伝送装置から第１の伝送装置に伝送された割り込み信号を受信する、
ことを特徴とする第１の伝送装置。
【請求項５】
データ信号休止期間検出部を有し且つ前記第２の伝送装置から他の前記データラインを通じて伝送された信号の中から割り込み信号を検出する割り込み信号検出部を更に有し、
前記データ信号休止期間検出部は、第１の伝送装置から前記第２の伝送装置に伝送するコマンド信号に応じて伝送されるデータ信号の終端から次のデータライン上にデータ信号の転送を命ずる前記コマンド信号の終端までの間の任意の期間を、前記データ信号休止期間として検出し、
前記第１の伝送モードにおいては、前記割り込み信号検出部は、前記データ信号休止期間に他の前記データライン上を通じて伝送された信号を割り込み信号として検出し、
前記第２の伝送モードにおいては、前記割り込み信号検出部は、その伝送時期にかかわらず、他の前記データライン上を通じて伝送された信号を割り込み信号として検出する、
ことを特徴とする請求項４に記載の第１の伝送装置。
【請求項６】
第１の伝送装置と第２の伝送装置との間でデータ信号を伝送し及び第２の伝送装置から前記第１の伝送装置に割り込み信号を伝送する少なくとも１本のデータラインと、少なくとも前記第１の伝送装置から第２の伝送装置にコマンド信号を伝送するコマンドラインとを有する入出力部と、
前記データライン上を前記データ信号が伝送されないデータ信号休止期間を検出するデータ信号休止期間検出部と、
前記データ信号休止期間に割り込み信号を前記入出力部に伝送する割り込み信号生成部と、
を有し、
前記データラインは、前記コマンド信号に応じて前記第１の伝送装置と第２の伝送装置との間でデータ信号を伝送し、
前記データ信号休止期間検出部は、前記コマンド信号に応じて伝送されるデータ信号の終端から次のデータライン上にデータ信号の転送を命ずる前記コマンド信号の終端までの間の任意の期間を、前記データ信号休止期間として検出する、
ことを特徴とする第２の伝送装置。
【請求項７】
第１の伝送装置と第２の伝送装置との間でデータ信号を伝送し及び第２の伝送装置から前記第１の伝送装置に割り込み信号を伝送する少なくとも１本のデータラインを有する入出力部と、
前記データライン上を前記データ信号が伝送されないデータ信号休止期間を検出するデータ信号休止期間検出部と、
前記データ信号休止期間に割り込み信号を前記入出力部に伝送する割り込み信号生成部と、
を有し、
前記データ信号休止期間検出部は、前記データ信号の終端を始点とする第１の期間Ｔ１（Ｔ１は任意の期間）内の任意の期間を、前記データ信号休止期間として検出する、
ことを特徴とする第２の伝送装置。
【請求項８】
前記入出力部は、前記データ信号の伝送後、少なくとも前記データ信号の終端を始点とする第２の期間Ｔ２が経過した後に、次の前記データ信号を伝送し、
前記第２の期間Ｔ２は、前記第１の期間Ｔ１よりも少なくとも１クロックの時間だけ長い期間である、
ことを特徴とする請求項７に記載の第２の伝送装置。
【請求項９】
前記データ信号休止期間検出部は、前記データ信号の終端から第３の期間Ｔ３（Ｔ３は、１クロックの時間以上の期間）を経過した時点を始点とし、前記始点から第４の期間Ｔ４（Ｔ４は任意の期間）を経過した時点を終点とする期間を、前記データ信号休止期間として検出することを特徴とする請求項７に記載の第２の伝送装置。
【請求項１０】
第１の伝送装置と第２の伝送装置との間でデータ信号を伝送し及び第２の伝送装置から前記第１の伝送装置に割り込み信号を伝送する少なくとも１本のデータラインを有する入出力部と、
前記データライン上を前記データ信号が伝送されないデータ信号休止期間を検出するデータ信号休止期間検出部と、
前記データ信号休止期間に割り込み信号を前記入出力部に伝送する割り込み信号生成部と、
第２の伝送装置から前記第１の伝送装置に伝送するデータ信号を生成するデータ信号生成部と、
前記データ信号が一定以上の情報量を有すれば、前記データ信号を分割して一定未満の情報量を有する複数の分割されたデータ信号を生成するデータ信号分割部と、
を有し、
前記入出力部は、前記データラインを使用して第２の伝送装置から前記第１の伝送装置に複数の前記分割されたデータ信号を順次伝送し、且つ前記分割されたデータ信号の伝送完了後でその次の前記分割されたデータ信号の伝送開始前に少なくとも一定の伝送休止期間を有する、
ことを特徴とする第２の伝送装置。
【請求項１１】
第１の伝送装置から第２の伝送装置に伝送された伝送モードの情報に基づいて、又は前記第１の伝送装置から第２の伝送装置に伝送されたコマンド信号に基づいて、第１の伝送モードと第２の伝送モードとを含む複数の伝送モードの中から１個の伝送モードを決定する伝送モード決定部と、
複数のデータラインを有する入出力部と、
割り込み信号を生成して前記入出力部に伝送する割り込み信号生成部と、
を有し、
前記第１の伝送モードにおいては前記入出力部は全ての前記データラインを通じてデータ信号を伝送し、前記第２の伝送モードにおいては前記入出力部は少なくとも１本の前記データラインを通じてデータ信号を伝送し且つ少なくとも１本の他の前記データラインを通じて第２の伝送装置から前記第１の伝送装置に前記割り込み信号を伝送する、
ことを特徴とする第２の伝送装置。
【請求項１２】
前記第１の伝送装置から第２の伝送装置に伝送するコマンド信号に応じて伝送されるデータ信号の終端から次のデータライン上にデータ信号の転送を命ずる前記コマンド信号の終端までの間の任意の期間を、前記データ信号休止期間として検出するデータ信号休止期間検出部を更に有し、
前記第１の伝送モードにおいては、前記入出力部は、前記データ信号休止期間にのみ他の前記データライン上を通じて前記割り込み信号を伝送し、
前記第２の伝送モードにおいては、前記入出力部は、前記データ信号休止期間であるか否かにかかわらず、他の前記データライン上を通じて割り込み信号を伝送する、
ことを特徴とする請求項１１に記載の第２の伝送装置。
【請求項１３】
第１の伝送装置と第２の伝送装置との間の伝送方法であって、
前記第１の伝送装置又は前記第２の伝送装置において、伝送するデータ信号を生成するデータ信号生成ステップと、
前記データ信号生成ステップにおいて生成した前記データ信号が一定以上の情報量を有すれば、前記データ信号を分割して一定未満の情報量を有する複数の分割されたデータ信号を生成するデータ信号分割ステップと、
前記データラインを使用して複数の前記分割されたデータ信号を順次伝送し、且つ前記分割されたデータ信号の伝送完了後でその次の前記分割されたデータ信号の伝送開始前に少なくとも一定の伝送休止期間を設けるデータ信号伝送ステップと、
前記データライン上をデータ信号が伝送されないデータ信号休止期間を前記第２の伝送装置において検出するデータ信号休止期間検出ステップと、
前記データ信号休止期間に、割り込み信号を前記第２の伝送装置から前記第１の伝送装置に伝送する割り込み信号伝送ステップと、
前記第１の伝送装置において、前記割り込み信号に基づいて割り込み処理を実行する割り込み処理ステップと、
を有することを特徴とする伝送方法。
【請求項１４】
それぞれ複数のデータラインを有する第１の伝送装置と第２の伝送装置との間の伝送方法であって、
第１の伝送モードと第２の伝送モードとを含む複数の伝送モードの中から１個の伝送モードを決定する伝送モード決定ステップと、
前記第１の伝送モードにおいて、全ての前記データラインを通じてデータ信号を伝送するデータ信号伝送ステップと、
前記第２の伝送モードにおいて、少なくとも１本の前記データラインを通じてデータ信号を伝送し、且つ少なくとも１本の他の前記データラインを通じて前記第２の伝送装置から前記第１の伝送装置に割り込み信号を伝送する割り込み信号伝送ステップと、
前記第１の伝送装置において、受信した前記割り込み信号に応じて割り込み処理を行なう割り込み処理ステップと、
を有することを特徴とする伝送方法。